(57)【要約】【課題】手足を同時に加熱又は冷却することができ、しかも、使い勝手を向上することができ、さらには、構成の簡素化を図ることができる手足温度調節装置を提供する。【解決手段】人体に着脱自在でかつ手足を加熱又は冷却する電気式作動部Ｈが設けられた人体装着部３が、手に装着する手装着部３１と足に装着する足装着部３２とで構成され、手装着部３１に、手を加熱又は冷却する手用電気式作動部４７と、手用電気式作動部４７に供給する電力を受電する手装着部用受電部Ｊ４とが設けられ、足装着部３２に、足を加熱又は冷却する足用電気式作動部５７と、足用電気式作動部５７に供給する電力を受電する足装着部用受電部Ｊ５とが設けられ、手装着部用受電部Ｊ４及び足装着部用受電部Ｊ５に無線で電力を送る送電部２が備えられている。【選択図】図２
2016182306.tif 000002
【特許請求の範囲】
【請求項１】
人体に着脱自在でかつ手足を加熱又は冷却する電気式作動部が設けられた人体装着部を備えた手足温度調節装置であって、
前記人体装着部が、手に装着する手装着部と足に装着する足装着部とで構成され、
前記手装着部に、手を加熱又は冷却する手用電気式作動部と、前記手用電気式作動部に供給する電力を受電する手装着部用受電部とが設けられ、
前記足装着部に、足を加熱又は冷却する足用電気式作動部と、前記足用電気式作動部に供給する電力を受電する足装着部用受電部とが設けられ、
前記手装着部用受電部及び前記足装着部用受電部に無線で電力を送る送電部、が備えられた手足温度調節装置。
【請求項２】
前記送電部から前記手装着部用受電部及び前記足装着部用受電部への送電が、前記送電部が備える送電コイル回路と前記手装着部用受電部及び前記足装着部用受電部が備える受電コイル回路との共振周波数にて、前記送電コイル回路から前記受電コイル回路に送電する形態で行われるように構成されている請求項１に記載の手足温度調節装置。
【請求項３】
前記手装着部に、手の表面に接触して皮膚の温度を検出する手温度検出部と、前記手温度検出部の検出温度が手用目標温度となるように前記手用電気式作動部を制御する手用制御部とを備え、
前記足装着部に、足の表面に接触して皮膚の温度を検出する足温度検出部と、前記足温度検出部の検出温度が足用目標温度となるように前記足用電気式作動部を制御する足用制御部とを備えた請求項１又は２に記載の手足温度調節装置。
【請求項４】
前記手装着部に、前記手用目標温度を変更する手用目標温度変更部が設けられ、前記足装着部に、前記足用目標温度を変更する足用目標温度変更部が設けられている請求項３に記載の手足温度調節装置。
【発明の詳細な説明】
【技術分野】
【０００１】
本発明は、人体に着脱自在でかつ手足を加熱又は冷却する電気式作動部が設けられた人体装着部を備えた手足温度調節装置に関する。
【背景技術】
【０００２】
かかる手足温度調節装置は、室内等の使用空間において、使用者が人体装着部を装着することにより、使用者を暖める又は冷やすためのものであり、使用空間を暖房又は冷房する冷暖房機器を用いることなく、経済性の良い状態で、使用者を暖めること又は冷やすことができるものである。
【０００３】
かかる手足温度調節装置の従来例として、使用者の足に装着自在な人体装着部に電気式作動部としての電気ヒータを設け、室内等の使用空間に設けられたコンセントに接続する電力供給コードを用いて、電気ヒータに電力を供給するように構成されたものがある（例えば、特許文献１参照）。
別の手足温度調節装置の従来例として、使用者の足に装着自在な人体装着部に電気式作動部としての電気ヒータを設け、人体装着部に収容した電池から電気ヒータに電力を供給するように構成されたものがある（例えば、特許文献２参照）。
【０００４】
さらに、別の手足温度調節装置の従来例として、使用者の手に装着自在な人体装着部に電気式作動部としての電気ヒータを設け、携帯用バッテリーから電気ヒータに電力を供給するように構成されたものがある（例えば、特許文献３参照）。
尚、特許文献３には、携帯用バッテリーについての説明が省略されているが、携帯用バッテリーとは、使用者が携帯するバッテリーであって、充電式であると考えることができる。
【先行技術文献】
【特許文献】
【０００５】
【特許文献１】特開２００９−１７８２８９号公報
【特許文献２】実用新案登録第３０６３２８４号公報
【特許文献３】実用新案登録第２５８３６０７号公報
【発明の概要】
【発明が解決しようとする課題】
【０００６】
特許文献１及び特許文献２の手足温度調節装置は、足のみに人体装着部を装着するものであるので、使用者は手に冷たさを感じる不都合がある。
これに対して、特許文献３の手足温度調節装置は、手のみに人体装着部を装着するものであるので、使用者は足に冷たさを感じる不都合がある。
【０００７】
つまり、使用者を暖める際には、使用者は人体抹消部である手及び足において特に冷たさを感じるので、手及び足を同時に暖めることが望まれるが、従来の手足温度調節装置は、使用者の手及び足を同時に暖めることができないものであった。
【０００８】
また、特許文献１の手足温度調節装置は、使用空間に設けられたコンセントに接続される電力供給コードを用いて、人体装着部の電気ヒータに電力を供給するものであるから、使用者が人体装着部を装着した状態で使用空間を移動する際に、電力供給コードが邪魔になる虞があり、使い勝手が悪いものであった。
【０００９】
また、特許文献２の手足温度調節装置は、人体装着部に収容した電池から電気ヒータに電力を供給するものであるから、電池が消耗した際に、電池交換を行わなければならない面倒があり、使い勝手が悪いものであった。
【００１０】
また、特許文献３の手足温度調節装置は、携帯用バッテリーの電力が消耗した際に、充電を行わなければならない面倒があり、使い勝手が悪いものであった。
【００１１】
本発明は、かかる点に着目してなされたものであり、その目的は、手足を同時に加熱又は冷却することができ、しかも、使い勝手を向上することができ、さらには、構成の簡素化を図ることができる手足温度調節装置を提供することにある。
【課題を解決するための手段】
【００１２】
本発明に係る手足温度調節装置は、人体に着脱自在でかつ手足を加熱又は冷却する電気式作動部が設けられた人体装着部を備えたものであって、その特徴構成は、
前記人体装着部が、手に装着する手装着部と足に装着する足装着部とで構成され、
前記手装着部に、手を加熱又は冷却する手用電気式作動部と、前記手用電気式作動部に供給する電力を受電する手装着部用受電部とが設けられ、
前記足装着部に、足を加熱又は冷却する足用電気式作動部と、前記足用電気式作動部に供給する電力を受電する足装着部用受電部とが設けられ、
前記手装着部用受電部及び前記足装着部用受電部に無線で電力を送る送電部、が備えられた点にある。
【００１３】
上記特徴構成によれば、手を加熱又は冷却する手用電気式作動部が設けられた手装着部と、足を加熱又は冷却する足用電気式作動部が設けられた足装着部とが備えられているので、使用者の手に手装着部を装着し、使用者の足に足装着部を装着することで、使用者の手足を同時に加熱すること又は冷却することができる。
【００１４】
また、手用電気式作動部に供給する電力を受電する手装着部用受電部、及び、足用電気式作動部に供給する電力を受電する足装着部用受電部に対して、送信部から無線で電力を供給するものであるから、送信部と手装着部との間や、送信部と足装着部との間には、電力供給用の電力供給コードが無くなるため、使用者は、電力供給コードに邪魔されることなく、使用空間を移動できることになり、使用者の使い勝手を向上することができる。
【００１５】
また、手用電気式作動部に供給する電力を受電する手装着部用受電部、及び、足用電気式作動部に供給する電力を受電する足装着部用受電部に対して、送信部から無線で電力を供給するものであるから、商用電源等の使用空間に装備されている電源を用いて駆動する状態に送信部を設置することにより、送信部が駆動されている間は、手装着部用受電部や足装着部用受電部に対して、電力を供給する状態を継続することができるため、電池交換等の面倒な作業を行うことなく、手装着部の手用電気式作動部や足装着部の足用電気式作動部を継続して加熱又は冷却させることができることになり、この点からも、使用者の使い勝手を向上することができる。
【００１６】
さらに、手装着部の手装着部用受電部及び足装着部の足装着部用受電部に対して、単一の送電部から無線で電力を供給するものであるから、つまり、単一の送電部を、手装着部の手装着部用受電部及び足装着部の足装着部用受電部の両者に対して電力を供給する送電部として用いるものであるから、単一の送電部を備えさせるだけで、手装着部の手装着部用受電部及び足装着部の足装着部用受電部に対して電力を供給できるため、例えば、手装着部の手装着部用受電部及び足装着部の足装着部用受電部の夫々に対して、各別の送電部を設けるようにする場合に較べて、構成の簡素化を図りながら、手装着部の手装着部用受電部及び足装着部の足装着部用受電部に対して電力を供給することができる。
【００１７】
以上の通り、本発明の手足温度調節装置の特徴構成によれば、手足を同時に加熱又は冷却することができ、しかも、使い勝手を向上することができ、さらには、構成の簡素化を図ることができる。
【００１８】
本発明に係る手足温度調節装置の更なる特徴構成は、
前記送電部から前記手装着部用受電部及び前記足装着部用受電部への送電が、前記送電部が備える送電コイル回路と前記手装着部用受電部及び前記足装着部用受電部が備える受電コイル回路との共振周波数にて、前記送電コイル回路から前記受電コイル回路に送電する形態で行われるように構成されている点にある。
【００１９】
上記特徴構成によれば、送電部の送電コイル回路に発生した磁場の振動が、手装着部用受電部及び足装着部用受電部が備える受電コイル回路に磁場共振現象により伝えられることにより、送電部から手装着部用受電部及び足装着部用受電部に対して無線で電力が供給されることになる。
【００２０】
磁場共振現象を用いた電力の供給は、電磁誘導を用いて電力を供給する場合に較べて、効率良く電力を供給できるものであるから、送電部から手装着部用受電部及び足装着部用受電部に対して電力を供給できる送電距離の長大化を図ることができるものであるため、使用空間において、手装着部及び足装着部を装着した使用者が移動可能な範囲を増大させることができる。
【００２１】
本発明に係る手足温度調節装置の更なる特徴構成は、
前記手装着部に、手の表面に接触して皮膚の温度を検出する手温度検出部と、前記手温度検出部の検出温度が手用目標温度となるように前記手用電気式作動部を制御する手用制御部とを備え、
前記足装着部に、足の表面に接触して皮膚の温度を検出する足温度検出部と、前記足温度検出部の検出温度が足用目標温度となるように前記足用電気式作動部を制御する足用制御部とを備えた点にある。
【００２２】
上記特徴構成によれば、手温度検出部の検出温度が手用目標温度となるように手用電気式作動部が制御され、また、足温度検出部の検出温度が足用目標温度となるように足用電気式作動部が制御されるものであるから、使用空間の温度が変化すること等により、手や足の温度が変化しても、手装着部における加熱温度を手用目標温度に維持でき、また、足装着部における加熱温度を足用目標温度に維持できる。
【００２３】
したがって、使用空間の温度が変化すること等により、使用者の手や足の温度が変化しても、使用者の手や足を良好に暖めることができる。
【００２４】
本発明に係る手足温度調節装置の更なる特徴構成は、
前記手装着部に、前記手用目標温度を変更する手用目標温度変更部が設けられ、前記足装着部に、前記足用目標温度を変更する足用目標温度変更部が設けられている点にある。
【００２５】
上記特徴構成によれば、手用目標温度を変更する手用目標温度変更部及び足用目標温度を変更する足用目標温度変更部が設けられているから、使用者は、使用者の好みに合わせて、手用目標温度及び足用目標温度を変更することができる。
したがって、使用者の手や足を、使用者の好む状態で良好に暖めることができる。
【図面の簡単な説明】
【００２６】
【図１】実施形態に係る手足温度調節装置の全体構成図
【図２】送電部、手装着部及び足装着部の概略構成図
【図３】手装着部の概略斜視図
【図４】足装着部の概略斜視図
【発明を実施するための形態】
【００２７】
本発明に係る手足温度調節装置の実施形態を図面に基づいて説明する。
（手足温度調節装置の全体構成）
図１に示すように、本実施形態の手足温度調節装置は、使用空間としての室内１において使用されるものであり、人体に着脱自在でかつ電気式作動部としての電気ヒータＨ（図３及び図４参照）を備えた人体装着部３と、人体装着部３に無線で電力Ｗを送る送電部２とが備えられている。
【００２８】
人体装着部３は、手に装着する手装着部３１と、足に装着する足装着部３２とにより構成されている。
手装着部３１としては、左手に装着する左手用装着部と、右手に装着する右手用装着部とが設けられることになるが、左手用装着部と右手用装着部とは同様に構成されるものであるから、本実施形態では、左手用装着部と右手用装着部とのうちの左手用装着部を代表にして、その左手用装着部を手装着部３１として説明する。
【００２９】
足装着部３２としては、左足に装着する左足用装着部と、右足に装着する右足用装着部とが設けられることになるが、左足用装着部と右足用装着部とは同様に構成されるものであるから、本実施形態では、左足用装着部を左足用装着部とのうちの左足用装着部を代表にして、その左足用装着部を足装着部３２として説明する。
【００３０】
送電部２には、電力を取り込むプラグ２ａが備えられ、このプラグ２ａは、室内１に設けられたコンセント１ａに接続される。
尚、コンセント1ａは、一般には、商用電源を供給するものであるが、家庭用の発電機が備えられている家屋では、発電機にて発電された電力を供給する場合もある。
【００３１】
（手装着部の構成）
図３に示すように、手装着部３１には、布等の材料にて形成された手装着部本体３１ａが備えられている。手装着部本体３１ａは、手首、手のひら、手の甲及び指の付け根を覆う手袋状、つまり、指の先を覆う部分が除かれた手袋状に形成されている。
【００３２】
手装着部本体３１ａの手の甲に対応する部分の内部には、上述の電気ヒータＨとして、手を加熱する手加熱用ヒータ４７（手用電気式作動部に相当）が設けられ、手装着部本体３１ａの手の甲に対応する部分の表面部には、後述する手用目標温度を変更する手用目標温度変更部４５が設けられている。
ちなみに、手加熱用ヒータ４７は、可撓性を有する板状に構成されている。
【００３３】
また、手装着部本体３１ａの手首に対応する部分の表面部には、手用制御ボックス４０が設けられている。
手用制御ボックス４０には、図２に示すように、手加熱用ヒータ４７に供給する電力を受電する手装着部用受電部Ｊ４、手用電力変換部４３、及び、手用制御部４４が設けられている。
【００３４】
図３に示すように、手装着部本体３１ａの人差し指の付け根部を覆う部分に、手の表面に接触して皮膚の温度を検出する手温度検出部４６が設けられている。
手温度検出部４６は、サーミスタ等で構成されるものであって、その検出信号を手用制御部４４に出力するように構成されている。
【００３５】
（足装着部の構成）
図４に示すように、足装着部３２には、スリッパ状の足装着部本体３２ａが備えられている。つまり、足装着部本体３２ａは、足を載せる底部３２ｂと足のつま先側を覆う覆部３２ｃとを備える形態に構成されている。
【００３６】
足装着部本体３２ａの覆部３２ｃにおける足の甲に対する部分の内部には、上述の電気ヒータＨとして、足を加熱する足加熱用ヒータ５７（足用電気式作動部に相当）が設けられ、覆部３２ｃにおける足の甲に対応する部分の表面部には、後述する足用目標温度を変更する足用目標温度変更部５５が設けられている。
ちなみに、足加熱用ヒータ５７は、可撓性を有する板状に構成されている。
【００３７】
また、足装着部本体３２ａの覆部３２ｃにおけるつま先に対応する部分の表面部には、足用制御ボックス５０が設けられている。
足用制御ボックス５０には、図２に示すように、足加熱用ヒータ５７に供給する電力を受電する足装着部用受電部Ｊ５、足用電力変換部５３、及び、足用制御部５４が設けられている。
【００３８】
図４に示すように、足装着部本体３２ａの覆部３２ｃにおける足の指の付け根に対応する部分には、足の表面に接触して皮膚の温度を検出する足温度検出部５６が設けられている。
足温度検出部５６は、サーミスタ等で構成されるものであって、その検出信号を足用制御部５４に出力するように構成されている。
【００３９】
（手装着部用受電部の構成）
図２に示すように、手装着部用受電部Ｊ４は、送電部２から送られる電力Ｗを受ける受電回路としての手用受電コイル回路４２と、手用受電コイル回路４２が受けた電力が電磁誘導される手用ロードコイル４１とを備え、手用ロードコイル４１に発生した電力が、手用電力変換部４３に送られる。
【００４０】
手用電力変換部４３は、手用ロードコイル４１から受けた電力を手加熱用ヒータ４７及び手用制御部４４を作動させるために適した電力形式（直流）に変換する。
【００４１】
（足装着部用受電部の構成）
図２に示すように、足装着部用受電部Ｊ５は、送電部２から送られる電力Ｗを受ける受電回路としての足用受電コイル回路５２と、足用受電コイル回路５２が受けた電力が電磁誘導される足用ロードコイル５１とを備え、足用ロードコイル５１に発生した電力が、足用電力変換部５３に送られる。
【００４２】
足用電力変換部５３は、足用ロードコイル５１から受けた電力を足加熱用ヒータ５７及び足用制御部５４を作動させるために適した電力形式（直流）に変換する。
【００４３】
（送電部の構成）
図２に示すように、送電部２は、手用受電コイル回路４２及び足用受電コイル回路５２の両者に送電する送電コイル回路２２と、交流電力を送電コイル回路２２に供給する送電制御部２０とを備えている。
【００４４】
また、送電部２には、プラグ２ａと送電制御部２０とを接続する電源供給線２３を開閉する電源スイッチ２４が設けられている。
この電源スイッチ２４の開閉操作により、送電部２から手装着部３１及び足装着部３２への送電を断続させて、手足温度調節装置を加熱作用状態と加熱停止状態とに切換えることができるように構成されている。
【００４５】
（磁場共振式の送電について）
本実施形態においては、送電部２から手装着部用受電部Ｊ４及び足装着部用受電部Ｊ５への送電が、送電コイル回路２２と手用受電コイル回路４２及び足用受電コイル回路５２との共振周波数にて、送電コイル回路２２から手用受電コイル回路４２及び足用受電コイル回路５２に送電する形態で行われるように構成されている。
【００４６】
すなわち、送電部２の送電コイル回路２２に発生した磁場の振動が、手装着部用受電部Ｊ４が備える手用受電コイル回路４２及び足装着部用受電部Ｊ５が備える足用受電コイル回路５２に磁場共振現象により伝えられることにより、送電部２から手装着部用受電部Ｊ４及び足装着部用受電部Ｊ５に対して無線で電力が供給されるように構成されている。
【００４７】
具体的には、送電コイル回路２２が、送電コイル２２ａと送電キャパシタ２２ｂとが直列接続されて形成されており、共振周波数が、例えば１００ｋＨｚとなるように設定されている。
また、送電制御部２０には、交流電力が通電されるエキサイトコイル２１が設けられている。
エキサイトコイル２１と送電コイル２２ａとは、互いに向かい合う状態で配設されており、送電制御部２０が、上記共振周波数の交流電流をエキサイトコイル２１に流すと、電磁誘導の原理により送電コイル２２ａに起電力が発生し、送電コイル回路２２には、上記共振周波数の交流電流が流れることになる。
【００４８】
手用受電コイル回路４２が、手用受電コイル４２ａと手用受電キャパシタ４２ｂとを直列接続する形態に形成されており、共振周波数が、送電コイル回路２２の共振周波数と同じ値である、例えば１００ｋＨｚとなるように設定されている。
したがって、送電コイル回路２２が共振周波数である１００ｋＨｚにて磁界を発生させると、送電コイル２２ａと手用受電コイル４２ａとが磁気的に共振し、手用受電コイル回路４２に交流電流が流れることになる。
【００４９】
ちなみに、手用受電コイル４２ａと手用ロードコイル４１とが、互いに向かい合う状態で配設されており、手用受電コイル４２ａに交流電流が流れることにより、電磁誘導により手用ロードコイル４１に交流電流が流れることになる。
【００５０】
また、足用受電コイル回路５２が、足用受電コイル５２ａと足用受電キャパシタ５２ｂとを直列接続する形態に形成されており、共振周波数が、送電コイル回路２２の共振周波数と同じ値である、例えば１００ｋＨｚとなるように設定されている。
したがって、送電コイル回路２２が共振周波数である１００ｋＨｚにて磁界を発生させると、送電コイル２２ａと足用受電コイル５２ａとが磁気的に共振し、足用受電コイル回路５２に交流電流が流れることになる。
【００５１】
ちなみに、足用受電コイル５２ａと足用ロードコイル５１とが、互いに向かい合う状態で配設されており、足用受電コイル５２ａに交流電流が流れることにより、電磁誘導により足用ロードコイル５１に交流電流が流れることになる。
【００５２】
（手装着部の温度制御）
手用制御部４４が、手加熱用ヒータ４７への通電量を制御して、手温度検出部４６にて検出される検出温度が予め記憶している手用設定目標温度（初期設置値）となるように、手加熱用ヒータ４７の発熱量を調節するように構成されている。
ちなみに、手用設定目標温度は、３１℃〜３６℃の範囲の温度に設定されるものであって、例えば、３４℃に設定されることになる。
【００５３】
また、手用制御部４４が、手用目標温度を変更する手用目標温度変更部４５の指令に基づいて、予め記憶している手用設定目標温度（初期設置値）を変更するように構成されている。
すなわち、手用目標温度変更部４５には、押圧操作する毎に、手用設定目標温度を１℃下げた温度に変更する手用目標温度低下スイッチ４５ａと、押圧操作する毎に、手用目標温度を１℃上げた温度に変更する手用目標温度上昇スイッチ４５ｃと、押圧操作することによって、手用目標温度を、手用制御部４４に予め記憶した手用設定目標温度（初期設定値）に再設定する手用再設定スイッチ４５ｂとが設けられている。
【００５４】
したがって、例えば、使用者は、手が寒いと感じたときには、手用目標温度上昇スイッチ４５ｃを押圧操作することによって、手用目標温度を上昇させることができ、その後、暑すぎると感じたときには、手用再設定スイッチ４５ｂを押圧操作することにより、手用制御部４４に予め記憶した手用設定目標温度（初期設定値）に手用目標温度を再設定することができる。
【００５５】
また、使用者は、手が暑いと感じたときには、手用目標温度低下スイッチ４５ａを押圧操作することによって、手用目標温度を低下させることができ、その後、寒いと感じたときには、手用再設定スイッチ４５ｂを押圧操作することにより、手用制御部４４に予め記憶した手用設定目標温度（初期設定値）に手用目標温度を再設定することができる。
【００５６】
（足装着部の温度制御）
足用制御部５４が、足加熱用ヒータ５７への通電量を制御して、足温度検出部５６にて検出される検出温度が予め記憶している足用設定目標温度（初期設定値）となるように、足加熱用ヒータ５７の発熱量を調節するように構成されている。
ちなみに、足用設定目標温度は、２７℃〜３５℃の範囲の温度に設定されるものであって、例えば、３４℃に設定されることになる。
【００５７】
また、足用制御部５４が、足用目標温度を変更する足用目標温度変更部５５の指令に基づいて、予め記憶している足用設定目標温度（初期設置値）を変更するように構成されている。
すなわち、足用目標温度変更部５５には、押圧操作する毎に、足用設定目標温度を１℃下げた温度に変更する足用目標温度低下スイッチ５５ａと、押圧操作する毎に、手用目標温度を１℃上げた温度に変更する足用目標温度上昇スイッチ５５ｃと、押圧操作することによって、手用目標温度を、足用制御部５４に予め記憶した足用設定目標温度（初期設定値）に再設定する足用再設定スイッチ５５ｂとが設けられている。
【００５８】
したがって、使用者は、足が寒いと感じたときには、例えば、足用目標温度上昇スイッチ５５ｃを押圧操作することによって、足用目標温度を上昇させることができる。その後、使用者が暑すぎると感じたときには、足用再設定スイッチ５５ｂを押圧操作することにより、足用制御部５４に予め記憶した足用設定目標温度（初期設定値）に足用目標温度を再設定することができる。
【００５９】
また、使用者は、足が暑いと感じたときには、足用目標温度低下スイッチ５５ａを押圧操作することによって、足用目標温度を低下させることができ、その後、寒いと感じたときには、足用再設定スイッチ５５ｂを押圧操作することにより、足用制御部５４に予め記憶した足用設定目標温度（初期設定値）に足用目標温度を再設定することができる。
【００６０】
〔第２実施形態〕
以下、本発明に係る手足温度調節装置の第２実施形態について説明する。
この第２実施形態に係る手足温度調節装置は、手装着部３１に、手を冷却する手用温度調節体が設けられ、足装着部３２に、足を冷却する足用温度調節体が設けられている点において上述の第１実施形態と異なるものである。
【００６１】
すなわち、この第２実施形態に係る手足温度調節装置は、人体に着脱自在でかつ手足を加熱又は冷却する電気式作動部が設けられた人体装着部３を備え、人体装着部３が、手に装着する手装着部３１と足に装着する足装着部３２とで構成され、手装着部３１に、手を冷却する手用電気式作動部と、手用電気式作動部に供給する電力を受電する手装着部用受電部Ｊ４とが設けられ、足装着部３２に、足を加熱する足用電気式作動部と、足用電気式作動部に供給する電力を受電する足装着部用受電部Ｊ５とが設けられている。
【００６２】
手用電気式作動部及び足用電気式作動部は、ペルチェ素子により構成されている。この場合、ペルチェ素子は、手装着部３１及び足装着部３２において、吸熱面側を人体側に向けて、放熱面側を人体と反対側に向けた状態で設けられている。
【００６３】
そして、この第２実施形態においては、手用設定目標温度が、３１℃〜３６℃の温度範囲の何れかの温度に設定され、足用設定目標温度が、２７℃〜３５℃の温度範囲の何れかの温度に設定されている。
【００６４】
〔別実施形態〕
以下、別実施形態を列記する。
【００６５】
（１）上記実施形態では、手装着部本体３１ａが、手首、手のひら、手の甲と指の付け根を覆うように構成されたが、手装着部本体３１ａの形態は、これに限らず種々変更できるものである。例えば、手装着部本体３１ａを、手首の部分を省略した形状としてもよく、また、手首、手のひら、手の甲と手の指先まで覆われるような形状としてもよい。
【００６６】
（２）上記実施形態では、足装着部本体３２ａが、足を載せる底部３２ｂと足のつま先側を覆う覆部３２ｃとによりスリッパ状に形成されたが、足装着部本体３２ａの形態は、これに限らず種々変更できるものである。例えば、足装着部本体３２ａを、足のつま先側に加えて、足の踵部分を覆う靴状や、足首をも覆う長靴状に形成してもよい。
【００６７】
（３）上記実施形態では、手加熱用ヒータ４７を手装着部本体３１ａの手の甲部分に設けたが、手加熱用ヒータ４７を設ける場所はこれに限られるものではない。例えば、手加熱用ヒータ４７を、手装着部本体３１ａの手のひら部分に設けてもよい。
【００６８】
（４）上記実施形態では、足加熱用ヒータ５７を足装着部本体３２ａの覆部３２ｃの足の甲部分に設けたが、足加熱用ヒータ５７を設ける場所はこれに限られるものではない。例えば、足加熱用ヒータ５７を、足装着部本体３２ａの足を載せる底部３２ｂに設けてもよい。
【００６９】
（５）上記実施形態では、手加熱用ヒータ４７及び足加熱用ヒータ５７を、可撓性を有する板状に構成する場合を例示したが、これに限らず、手加熱用ヒータ４７及び足加熱用ヒータ５７を、可撓性を有する線状の発熱体にて構成してもよい。
【００７０】
（６）上記実施形態では、送電コイル回路２２と手用受電コイル回路４２及び足用受電コイル回路５２の共振周波数にて、交流電力を送電コイル回路２２から手用受電コイル回路４２及び足用受電コイル回路５２に送電する、いわゆる磁場共振型の送電形態を採用する場合を例示したが、送電コイル回路２２から手用受電コイル回路４２及び足用受電コイル回路５２に電力を伝える形態として、例えば、送電コイル回路２２から手用受電コイル回路４２及び足用受電コイル回路５２に電磁誘導により電力を伝える形態を用いてもよい。
【００７１】
（７）上記実施形態では、手温度検出部４６が、手装着部本体３１ａの人差し指の付け根部を覆う部分に設けられたが、手温度検出部４６を設ける場所はこれに限られるものではない。例えば、手温度検出部４６が、手装着部本体３１ａに覆われていない人差し指の付け根部以外の温度を検出するように構成してもよい。
【００７２】
（８）上記実施形態では、足温度検出部５６が、足の指の付け根部に設けられたが、足温度検出部７６を設ける場所はこれに限られるものではない。例えば、足温度検出部５６が、覆部３２ｃに覆われた足の甲の部分に設けられてもよい。覆部３２ｃに覆われていない足の甲の部分又は足首の温度を検出するように構成してもよい。
【００７３】
（９）上記実施形態では、手温度検出部４６が、手の表面に接触して皮膚の温度を検出するように構成されたが、これに限らず、手温度検出部４６を非接触式の温度検出装置としてもよい。
【００７４】
（１０）上記実施形態では、足温度検出部５６が、手の表面に接触して皮膚の温度を検出するように構成されたが、これに限らず、足温度検出部６６を非接触式の温度検出装置としてもよい。
【００７５】
（１１）上記実施形態では、一対の手装着部３１の左右両方に手用目標温度を制御する手用目標温度変更部４５を設けたが、これに限らず、手装着部３１の左右の何れか一方に手用目標温度変更部４５を設けて、一方の手用目標温度変更部４５に入力した入力信号が他方の手装着部３１にも無線で送信されるように構成してもよい。また、一対の足装着部３２についても、同様に、足装着部３２の左右の何れか一方に足用目標温度変更部５５を設けて、一方の足用目標温度変更部５５に入力した入力信号が他方の足装着部３２にも無線で送信されるように構成してもよい。
【００７６】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００７７】
以上説明したように、手足を同時に加熱又は冷却することができ、しかも、使い勝手を向上することができ、さらには、構成の簡素化を図ることができる手足温度調節装置を提供することができる。
【符号の説明】
【００７８】
２      送電部
２２    送電コイル回路
３１    手装着部
３２    足装着部
４２    足用受電コイル回路（受電コイル回路）
４４    手用制御部
４５    手用目標温度変更部
４６    手温度検出部
４７    手加熱用ヒータ（手用電気式作動部）
５２    足用受電コイル回路（受電コイル回路）
５４    足用制御部
５５    足用目標温度変更部
５６    足温度検出部
５７    足加熱用ヒータ（足用電気式作動部）
Ｈ      電気ヒータ（電気式作動部）
Ｊ４    手装着部用受電部
Ｊ５    足装着部用受電部
【図１】
2016182306.tif 000003
【図２】
2016182306.tif 000004
【図３】
2016182306.tif 000005
【図４】
2016182306.tif 000006